(57)【要約】      （修正有）【課題】幼児やお年寄りでも安全に扱える形態と重量で、積層収納が容易な室内カーリングにおける疑似ストーンと標的としての遊技具を提供する。【解決手段】上面に識別体を設けた平滑底面を有する扁平円盤状弾性体を複数設けて疑似ストーン１とし、同一形状の扁平円盤状弾性体の標的４からなる。疑似ストーン１及び標的４は、直径４０〜１００ｍｍ、高さ１〜１０ｍｍとする。【選択図】図１４
0003161956.tif 000002
【実用新案登録請求の範囲】
【請求項１】
上面に識別体を設けた平滑底面を有する扁平円盤状の弾性体を複数設けて疑似ストーンとし、同一形状の扁平円盤状弾性体からなる標的へ、疑似ストーンを床面で滑走移動を可能とする遊技具。
【請求項２】
上面に識別体を設けた平滑底面を有する扁平円盤状のゴム弾性体を複数設けて疑似ストーンとし、同一形状の扁平円盤状ゴム弾性体からなる標的へ、疑似ストーンを床面で滑走移動を可能とする請求項１記載の遊技具。
【請求項３】
上面に識別体を設けた平滑底面を有する直径40mm〜100mm、高さ1mm〜10mmの範囲内にある扁平円盤状の弾性体を複数設けて疑似ストーンとし、直径40mm〜100mm、高さ1mm〜10mmの範囲内にある扁平円盤状弾性体からなる標的へ、疑似ストーンを床面で滑走移動を可能とする請求項１または２記載のカーリング様遊技具。
【考案の詳細な説明】
【技術分野】
【０００１】
本考案は、カーリング様遊技具に係り、詳しくは、老若男女に関わらず、特に幼児やお年寄りでもカーリング様競技をすることができ、かつ、安全に取り扱うことが可能な遊技具に関するものである。
【背景技術】
【０００２】
従来の遊技具を用いるゲーム及びスポーツは、その名称ごとにそれぞれ特徴とする遊技具をもっており、各種ゲーム及びスポーツの振興に役立ちそれぞれの産業製品となってきた歴史がある。
【０００３】
物体を標的に向けて滑らせる遊技には、ハンドルのついた円盤状の花崗岩製のストーンと呼ばれるものをハウスと呼ばれる多重円の標識で描かれた標的の中心に入れ合い、得点を競うカーリングと呼ばれる氷上ゲームがある。
【先行技術文献】
【特許文献】
【０００４】
【特許文献１】特開平６−１５４３６９
【考案の概要】
【考案が解決しようとする課題】
【０００５】
従来のカーリング競技に使用される図１１のストーンと呼ばれる滑走体は、花崗岩を扁平球体に加工して上部に横向きに握るためのハンドルをつけたものである。直径は約30cm、重量は約20kgもある。それを広大な氷上で複数個滑らせて約40ｍ先の標的とする径の異なる同心円の中心部に集める競技である。通常１試合の競技回数を10回、競技人数も４人対４人計８人、毎回の使用ストーンは合計16個としている。競技者から投てき（握っていた遊技具を腕を振って進行方向へ滑り出す動作をいう）されたストーンは、約40ｍの距離の氷面をブラシでこする役の者により、巧みに制動距離や方向をコントロールされて滑らされるなどの特徴がある。カーリング競技は氷上で行われるため、ゲームそのものが季節ゲームとなり、必然的に期間の限定されたゲームとなる。自然の広大な氷面を利用する以外は、アイススケート場と同様の設備規模が必要となるので、併設されることが多い。カーリング競技は、このように設備そのものが大掛かりであり、場所代や用具代が高価となる。また重いストーンを氷上で扱えるようになるには、相当の体力と訓練とを必要とし、誰もが楽しめるゲームとはなっていないという問題点があった。
【０００６】
また前記ゲームを体育館などで行うことを可能にするため、樹脂製の疑似ストーンを製作し、カーペット上で目標に滑らせる図１２のユニカールと呼ぶゲームや、樹脂製ストーンの下部に複数個のローラを設け直接床上を滑らす図１３のカローリングと呼ぶゲームがある。
【０００７】
ユニカールという競技に使用されるストーンは、カーリング競技を陸上版にしようと、１９７２年に開発されたものである。樹脂製で上部に縦向きのハンドルがつけてある。
【０００８】
カローリングという競技に使用される疑似ストーンは、樹脂製で上部に横向きハンドルをとりつけ、下面内部に複数のベアリングを下面から少し突出するよう装着してある。ユニカールの疑似ストーンは、直径約23cm〜27cm、重量2kg〜4.2kgある。競技は長辺8ｍ〜14ｍ、短辺1.2ｍ〜2.8ｍのカーペット上で行われる。ユニカールでの競技方法は、通常１試合の競技回数を６回、競技人数も３人対３人計６人、毎回の使用する疑似ストーンは合計６個としている。得点方法もカーリングと同様である。ユニカールの疑似ストーンやカーペットのサイズにはそれぞれ３段階程度の差があり、若年者、女性、高齢者に配慮したものとなっている。
【０００９】
カローリングは疑似ストーンの重量もユニカールとほぼ同様で、競技方法もよく似ており、競技面積も双方とも同程度を必要とする。従って、ユニカールやカローリングは、カーリングと比較すれば用具代が安価であるものの、一般に普及するには高価であることや、室内競技とはいえ相当程度の広い室内面積を必要とすることなどから、まだまだ一般に普及するには至っていないという問題点があった。その他に開発されたカーリング様の遊技具は、氷上で行うカーリングの雰囲気を真似るために、ハンドルを手で持つということにこだわることからどうしてもある程度の大きさにならざるを得なかった。また、テーブル上で行う競技やマット上で行う競技も、それなりに設備を必要としており低価格で製造するのには困難があった。
【００１０】
誰でも参加でき、生涯同一のゲームを楽しむことができることを目標とする生涯スポーツの考案は、身心ともに健康を保つ面からも、多いに望まれている。   生涯スポーツを健康に役立たせるためのものとして考えた場合100〜200キロカロリーのエネルギー消費のものが適しており、ウォーキングで20分〜40分ということになる。また、スポーツは第一に参加する人自身が楽しめるものでなくてはならず、第二に参加者と社会全体の健康増進に役立つもの、第三に見ている人までが楽しめるものが理想である。スポーツの競技能力の面からいって、一般的にはスポーツ能力は体力×技能×精神力だといわれている。この場合老若男女では相当に差がでてしまう。それを出来るだけ感じさせないで競って楽しめるものが生涯スポーツとしては望ましいと思われる。
【００１１】
そこで、本考案は、遊技具が大きく重く、収納、価格、競技空間、床面状態に制約があったカーリング様遊技を、幼児やお年寄りでも安全に扱える大きさと重量にして、収納が容易な室内カーリングにおける疑似ストーンと標的として用い、高齢者、身障者、健常者や子供達が老若男女、体格の差などを感じることなく楽しむことができる生涯スポーツとしてのカーリング様ニュースポーツを提供することを目的とするものである。
【課題を解決するための手段】
【００１２】
請求項１に係る考案は、上面に識別体を設けた平滑底面を有する扁平円盤状の弾性体を複数設けて疑似ストーンとし、同一形状の扁平円盤状弾性体からなる標的へ、疑似ストーンを床面などでの滑走移動を可能とするカーリング様遊技具である。
【００１３】
請求項２に係る考案は、上面に識別体を設けた平滑底面を有する扁平円盤状のゴム弾性体を複数設けて疑似ストーンとし、同一形状の扁平円盤状ゴム弾性体からなる標的へ、疑似ストーンを床面などでの滑走移動を可能とする請求項１記載のカーリング様遊技具である。
【００１４】
請求項３に係る考案は、上面に識別体を設けた平滑底面を有する直径40mm〜100mm、高さ1mm〜10mmの範囲内にある扁平円盤状のゴム弾性体を複数設けて疑似ストーンとし、同一形状の扁平円盤状ゴム弾性体からなる標的へ、疑似ストーンを床面などでの滑走移動を可能とする請求項１および２記載のカーリング様遊技具である。
【考案の効果】
【００１５】
本考案は、以上説明したように構成されているので、以下に記載されるような効果を奏する。
【００１６】
本考案の疑似ストーンは、手の平に収容できる程度の大きさにできるので手軽に扱える。
【００１７】
本考案の疑似ストーンは、従来例と比較して非常に小型であり、箱詰めすれは一冊の本程度に全セットを収納可能であり、運搬や保存が楽である。
【００１８】
本考案で構成した疑似カーリングゲームは、かがみこんだ姿勢でゲームをすることから、普段活用しがたい筋肉の運動が効果的にでき、中高年や幼稚園児や小学生などに適す。かがみこんで床面を擦って投てきする姿勢になるため、足腰の筋肉の維持発達に役立つ。また、かがみこんだ姿勢ができない老人や車椅子に乗った状態の方々のためには、その方々だけ特別にルールを一部変更して「放り投げてもよい」にすることなどでゲームに参加できるので、身体の不自由な老人の方や身障者の方にも適する。
【００１９】
本考案の疑似ストーンは、ゴム弾性体でできており、ローラーなどの駆動部がないので器具自体の損耗が少ないものになる。また滑走面に特殊なワックスを塗る必要もない。
【００２０】
本考案は、従来のカーリングやユニカールに比較して、ゲーム空間として広い場所を必要とせず、小さなスペースの室内で行える。室内競技であるから天候に左右されない。床面は絨毯、木製床、フローリングなどで行える。凹凸の少ない床面ならコンクリート床面でも使用できる。畳み面なども継ぎ目の凹凸を注意すれば使用できるので、殆どの床面を競技スペースとして利用できる。
【００２１】
本考案を使用してのカーリング様ゲームは、ゲームのどの進行状況においても、スポーツ傷害を発生させるような高負荷を筋肉に与えないし、適度な運動なので健康によい。
【００２２】
本考案の遊技具を用いたカーリング様ゲームは、老若男女が体格差を意識せずに手軽に楽しめるので「老若男女が体格差を意識せずに技術と思考と精神力を要する知的スポーツ」としてのゲームを提供できる。
【００２３】
本考案のカーリング様ゲームは、腕を振り出すときの負荷が軽い運動なので、機能障害の方などの機能回復用のリハビリテーション・スポーツとしての効果も期待できる。
【００２４】
本考案のカーリング様ゲームは、楽しみながら自然に運動ができる。例えば、１人対１人で８回戦ゲームを１ゲームした場合、１人当り64回投てきする機会がある。１回投てきする毎にかがみ込む姿勢を１回するので、合計64回かがみ込むことになる。単純に繰返し行うスクワット運動が64回楽しみながら自然にできる。
【００２５】
本考案のカーリング様ゲームは、ゲーム中において、随所に逆転が起こり最後まで勝敗のゆくえが判らない面白さがある。ゆえに、競技者だけでなく観戦者にも逆転が歓声を呼ぶゲームであり、精神的緊張と開放を楽しませることができる。心と身体の健康の最良のスポーツとして、長く愛好できる。
【００２６】
本考案のカーリング様ゲームは、従来の大型のゲーム器具と比較して非常に安価に製作できる。遊技具全体がゴム質であり、軽量に作れ、投げた場合などに怪我の心配の少ない遊技具として安心して使用できる。
【００２７】
本考案のカーリング様遊技具を使用したゲームの発展と普及は、今後のスポーツ器具産業の一分野と成り得るものであり、またその分野の産業の発展の利益だけにとどまらず、広く人類の文化発展と親睦交流に貢献できる。
【図面の簡単な説明】
【００２８】
【図１】本考案の実施形態を示す疑似ストーンの斜視図である。
【図２】同疑似ストーンの平面図である。
【図３】同疑似ストーンをＡ−Ａ’切断線で切断した断面図である。
【図４】同疑似ストーンの上面全面に識別体を貼り付けた斜視図である。
【図５】同疑似ストーンの上面の小部分に識別体を貼り付けた斜視図である。
【図６】同疑似ストーンの上面の一部をくぼませた部分に識別体を貼り付けた斜視図である。
【図７】図２の疑似ストーンの下面を緩く上方にカールさせた構造のＡ-Ａ’切断線で切断した断面図である。
【図８】同疑似ストーンの平滑底面を中央が膨らんだ形態に成形加工した斜視図である。
【図９】本考案の実施形態を示す標的の斜視図である。
【図１０】同標的の上面にマークを形成した斜視図である。
【図１１】カーリングの競技に使用されるストーンの斜視図である。
【図１２】ユニカールの競技に使用される疑似ストーンの斜視図である。
【図１３】カローリングの競技に使用される疑似ストーンの斜視図である。
【図１４】本考案の実施形態を示す疑似ストーンを積層収納したものと標的との斜視図である。
【図１５】本考案の実施形態を示す疑似ストーンと標的を用いて競技をしている斜視図である。
【考案を実施するための形態】
【００２９】
上面に識別体を設けた平滑底面を有する扁平円盤状の弾性体を複数設けて疑似ストーンとし、同一形状の扁平円盤状弾性体からなる標的へ、疑似ストーンを床面などでの滑走移動を可能とするカーリング様遊技具とする。
【実施例１】
【００３０】
以下、添付図面に従って一実施例を説明する。図１は本考案の実施形態を示す平滑底面を有する扁平円盤状の疑似ストーンの斜視図である。疑似ストーン１には識別体２と平滑底面３が必要である。平滑底面は床面との摩擦を少なくする目的のものであり、底面は凹凸部がないよう平滑に成形する。疑似ストーン１は金型などを用いて製造することが通常手段であるが、以下もっとも簡易な疑似ストーン１の製作法を説明する。ゴム板などをトムソン型で打ち抜き、平滑面を有する扁平円盤状の疑似ストーン１を得、その上面に識別体２を貼り付けて製作する。識別体２は識別シールを貼り付ける。識別シールは粘着剤が裏面にある着色された薄いビニールシートを切り抜き加工をして得る。
【００３１】
図２は同疑似ストーン１の平面図である。図３は同疑似ストーン１をＡ−Ａ切断線で切断した断面図である。同疑似ストーン１の底は平滑底面３になっている。識別シールの色は赤色や黄色など明確な色を用いる。なお識別体２は塗装してもよいし、着色した樹脂成型品を貼り付けてもよいし、疑似ストーン全体を最初から識別体２の色にしてもよい。色は２色あれば敵、見方の識別が可能となる。疑似ストーンは複数個を用意するのであるが、氷上で行う本式のカーリングは、敵８個、見方８個、合計16個のストーンを用いるので、本考案のカーリング様遊具も合計16個の疑似ストーンを用意するのが望ましい。標的４は表面に識別シールを貼り付けないものを用いる。疑似ストーンと標的の材質の色は同色でもよい。ただし、同じ材質の色であると判別し難いので、疑似ストーンの地の色を黒色にした場合には、白や緑などハッキリと地の色を区別できるものを用いるのが望ましい。
【実施例２】
【００３２】
以下、添付図面に従って一実施例を説明する。疑似ストーンに識別体２である識別シールを貼り付けるのは実施例と同じであるが、図４の様に上面全面に識別シールを貼り付けてもよいし、図５の様に弾性体の上面の識別シールを小部分に留めてもよい。図６のように上面の一部を窪ませた部分に識別シールを貼り付けてもよいし、突出面を設けて貼り付けてもよい。
【実施例３】
【００３３】
以下、添付図面に従って一実施例を説明する。図７の様に、平滑底面３を有する扁平円盤状の弾性体の下面の周辺を、緩く上方にカールさせた構造としてもよい。ただし、カールが強いと疑似ストーンが標的や疑似ストーンを乗り越える可能性が高くなるので、反り返り部分の先端は、弾性体の周辺部の厚みを超えないようにする。このように弾性体の周辺を上方にカールさせた構造にすることで、少々の床面の凹凸が乗り越えやすくなるし、滑走もし易くなる。そりをもたせた物と比較した場合には静止摩擦係数が相当に違ってくる。
【００３４】
例えば、硬度60の合成ゴムを疑似ストーン１とし、トムソン型で切断形成したものは、ゴム板を在庫しているときに巻き込んで保存されているから平面に広げても反りがでる。この反りは滑走距離に相当影響を与える。反りが出た疑似ストーンの底面の摩擦を測定する方法として、30度に角度設定したパーティクルボードで製作した木質板の上を滑らせる実験を行った。疑似ストーン１の自然落下による助走距離は、斜面に沿って90cmに設定した。疑似ストーン１である弾性体の底面が上方に反ったものを用意した。中心を接触する場合の10回の試行で30度の板が水平面と接する場所からの水平距離は27cm〜34cmであり、平均水平距離は31.1cmであった。逆ソリにして端面が接触するように計測した場合には、同一条件の斜度と距離を滑走させた場合、水平距離は12cmから16cmであり、平均距離は13.8cmであった。フローリングの床などで実際に滑走させた場合においても、滑走距離に25％程度の差が出る。また、巻き込み保存されたものでも逆巻き保存し直すことでほぼ平面にできる。ゴム板が平面に形状を保っている場合は、同一傾斜角30度で60cmの助走距離でも水平距離は40cm程度滑走する。ただし、同一のトムソン切断成型材を裏返して仕様すると、トムソン型での微妙な切断バリのせいで僅か4cm程度しか滑走しない。周辺部をバリ取り加工するか面取り加工をするとよい。面取り加工はＲ加工してもよいし、図８の様に最初から平滑底面を中央が膨らんだ形態に成形加工をしてもよい。しかし、全体を球面の一部に形成するのでなく、中央部には水平面を残すように工夫するとよい。また、成形加工をする場合には、上面にも膨らみを設けてデザインを格好良くしてもよい。ただし、デザインに凝ることはコストアップの要因にもなるので採算を考えて設計する必要がある。
【実施例４】
【００３５】
以下、添付図面に従って一実施例を説明する。図９は標的４である。標的の材質は疑似ストーン１と同質のものが望ましいが、形状がほぼ同一なら必ずしも弾性体で作成する必要はない。ただし、園児や低学年のものが使用することを想定すると人に向かって投げて怪我をさせる場合の危険性を考えると、ゴムなど軟質材の弾性体の方が安全を考えたら安心して使用できる。弾性体は軟質材であればゴムにこだわる必要はないが、床面との低摩擦を実現できるものなら他の材質のものでもよい。標的４の上面には疑似ストーンに使用している色以外の識別シールを貼り付けてもよいが特に設けなくてもよい。ただし、図１０に示すように、標的４の上面に販売会社や所属する協会などのマーク５を上面に設けてもよい。なお、図１０はマーク５のデザインの一例である。標的４にマークする方法は、慣用手段により行う。
【実施例５】
【００３６】
以下、添付図面に従って一実施例を説明する。図１４は本考案の遊技具である疑似ストーン１を厚み3mm、直径75mm、重量約20ｇの扁平円盤状の平滑底面３を有するゴム弾性体上面に識別体２を表示した１６個の疑似ストーン１を積層収納したものと、疑似ストーン１と識別体２のない同径の標的４を２個との図である。
【００３７】
図１５は本考案の図１４の遊戯具を用いてカーリング様ゲームしている図である。本考案の遊技具を用いて行うカーリング様ゲームの競技人数を説明する。毎回使用できる疑似ストーン１は、各チーム８個づつ計１６個あるので、それを状況に応じて各チームに同一個数を割り当てる。ただし、競技会などを開催する場合は、個人戦、２人戦、４人戦にするなど、規定人数を設けるのも好ましいと思われる。
【００３８】
以下、本考案の遊技具を用いて行うカーリング様ゲームの競技回数を説明する。競技人数は、１人対１人計２人〜８人対８人計１６人まで自由に同一人数戦を選択できる。競技回数は自由に設定してよい。各回数をエンドと言う。カーリングの競技回数は８〜１０エンド設定が多い。本考案のカーリング様ゲームのエンド数は、標準戦は８エンド、ハーフ戦は４エンドとする。
【００３９】
以下、本考案の遊技具を用いて行うカーリング様ゲームの競技空間を説明する。競技場所は、凹凸や不陸の少ない床面を利用する。標的４はプレーヤ１０と適当な距離を設けて置く。プレーヤ１０の足元にも標的４と同一の標的４を置く。標的４と足元に置く標的４を結んだ線をコースライン１１と言う。リリースライン６は足元に置く標的４とコースライン１１とが直行する仮想線です。標的４とリリースラインとの間は適当な距離で設置する。距離の目安は、初心者は約２ｍ、中級者は約３ｍ、上級者は約４ｍとする。標的４の後方には、標的４と適当な距離を設けたデッドライン７をリリースライン６と平行に設置する。デッドライン７は１〜２ｍ程度の長さのロープ、テープ、棒などで作る。標的４とデッドライン７の距離は、初心者では50cm〜１ｍ、中級者、上級者では１〜２ｍに距離を離して設置する。デッドライン７はガムテープなどで床面に一時固定しても良い。デッドライン７は壁面にしてもよい。投てき中にどちらかのプレーヤ１０の疑似ストーン１が標的４に当り、標的４がデッドライン７に接触するまで移動した場合には、移動させたプレーヤ１０の属するチームをその回の負けとし、得点１を相手チームに与える。標的４のうち１個はリリースライン６の目印として使用する。１回終了毎に交互に標的４の位置変更をして投てき位置を反転する。標的４の位置変更がしずらい場合はそのままの位置で行う。
【００４０】
以下、本考案の遊技具を用いて行うカーリング様ゲームの進行方法を説明する。まず先攻、後攻をじゃんけんやくじ引きなどで決める。勝った方が先攻後攻と識別体２の色選択ができる。識別体２の色は識別体Ａ８の赤色と識別体Ｂ９の黄色とがあり、選択した識別体２の色は試合終了まで変更できないものとする。２エンド以後は前回得点を獲得したチームから競技を始める。前回が両チーム無得点の場合は、先攻、後攻の順序は前回と変わらない。
【００４１】
以下、本考案の遊技具を用いて行うカーリング様ゲームの投てき方法を説明する。プレーヤ１０はリリースライン６の足元の標的４の横に左右どちらかの足を置いてかがみます。リリースライン６を足が越えてはならない。投てきは片手で行うものとし、リリースする反対側の手は、リリースライン６の前の床面に手をつけてはならない。プレーヤ１０は自分の投てき用として１個または複数個の疑似ストーン１を手に持ち、そのうちの１個の疑似ストーン１を床に置き、前方に設定した標的４に向けて手で床面を滑らせる。この投てき動作をリリースと言う。
【００４２】
以下、本考案の遊技具を用いて行うカーリング様ゲームの得点の条件を説明する。交互にリリースして、標的４に疑似ストーン１を近づけることを競うゲームである。両チームのプレーヤ全員が全ての疑似ストーン１を投げ終わった後、得点を計算する。競技中に標的４が移動したら、移動した標的４を新たな標的４として計算する。
【００４３】
以下、本考案を用いて行うカーリング様ゲームの得点の計算方法を説明する。まず１エンド毎に投げ終わったプレーヤ１０全員の疑似ストーン１の配置を見る。標的４に一番近い位置に疑似ストーン１を投てきした側のチームが得点を獲得できる。無得点側の疑似ストーン１が標的４に一番近い範囲の円内にある得点獲得側の疑似ストーン１の個数が得点となる。標的４や疑似ストーン１に乗り上げた疑似ストーン１は得点の対象とする。どちらの疑似ストーン１が標的４に近いか判定できないときは、メジャーで測定する。測定不能の場合は両者無得点となる。両者無得点の場合の投てき順番は変更しない。競技を複数回繰返して各得点を合計し、得点の多いチームを勝利チームとする。規定の競技回数を終了した後、両チームの得点合計が同点の場合には、延長戦を行い勝敗を決定する。
【符号の説明】
【００４４】
１  疑似ストーン
２ 識別体
３  平滑底面
４  標的
５  マーク
６  リリースライン
７  デッドライン
８  識別体Ａ
９  識別体Ｂ
１０  プレーヤ
１１  コースライン
【図１】
0003161956.tif 000003
【図２】
0003161956.tif 000004
【図３】
0003161956.tif 000005
【図４】
0003161956.tif 000006
【図５】
0003161956.tif 000007
【図６】
0003161956.tif 000008
【図７】
0003161956.tif 000009
【図８】
0003161956.tif 000010
【図９】
0003161956.tif 000011
【図１０】
0003161956.tif 000012
【図１１】
0003161956.tif 000013
【図１２】
0003161956.tif 000014
【図１３】
0003161956.tif 000015
【図１４】
0003161956.tif 000016
【図１５】
0003161956.tif 000017
【手続補正書】
【提出日】平成22年4月4日(2010.4.4)
【手続補正１】
【補正対象書類名】実用新案登録請求の範囲
【補正対象項目名】請求項３
【補正方法】変更
【補正の内容】
【請求項３】
上面に識別体を設けた平滑底面を有する直径４０ｍｍ〜１００ｍｍ、高さ１ｍｍ〜１０ｍｍの範囲内にある扁平円盤状のゴム弾性体を複数設けて疑似ストーンとし、直径４０ｍｍ〜１００ｍｍ、高さ１ｍｍ〜１０ｍｍの範囲内にある扁平円盤状ゴム弾性体からなる標的へ、疑似ストーンを床面などでの滑走移動を可能とする請求項１および２記載の遊技具